(57)【要約】【課題】計数部により貨幣を計数する必要がない場合には当該計数部による貨幣の計数処理を省略することができるため処理効率を向上させ処理時間を短縮することができる貨幣処理装置、貨幣管理システムおよび貨幣処理方法を提供する。【解決手段】貨幣処理装置（例えば、貨幣入出金機１００）は、収納カセット（例えば、紙幣収納カセット３００）が装着される他の貨幣処理装置（例えば、貨幣釣銭機２００）または収納カセット自体の状態を検知する状態検知部１０７と、状態検知部１０７により検知された状態に基づいて、収納カセットから取り出された貨幣について計数部（例えば、識別部１３２）により計数を行うか否かを判定する判定手段１０８とを備えている。【選択図】図１４
2017168009.tif 000002
【特許請求の範囲】
【請求項１】
貨幣の収納および収納されている貨幣の繰り出しを行い、収納されている貨幣の情報が記録される記録媒体が設けられている収納カセットが着脱自在に装着される装着部と、
前記装着部に装着されている前記収納カセットに設けられた前記記録媒体から情報を読み取る読取部と、
貨幣を計数する計数部と、
前記収納カセットが装着される他の貨幣処理装置または前記収納カセット自体の状態を検知する状態検知部と、
前記状態検知部により検知された状態に基づいて、前記収納カセットから取り出された貨幣について前記計数部により計数を行うか否かを判定する判定手段と、
を備えた、貨幣処理装置。
【請求項２】
前記記録媒体に、前記収納カセットが装着される他の貨幣処理装置または前記収納カセット自体の状態が記録されるようになっており、
前記状態検知部は、前記読取部により前記記録媒体から読み取られた情報に基づいて、前記収納カセットが装着される他の貨幣処理装置または前記収納カセット自体の状態を検知するようになっている、請求項１記載の貨幣処理装置。
【請求項３】
前記状態検知部は、他の貨幣処理装置の異常を検知するようになっている、請求項１または２記載の貨幣処理装置。
【請求項４】
前記状態検知部は、他の貨幣処理装置の異常として貨幣の詰まりが発生したことを検知するようになっている、請求項３記載の貨幣処理装置。
【請求項５】
前記状態検知部は、前記収納カセットの構成部材が動作されたことを検知するようになっている、請求項１または２記載の貨幣処理装置。
【請求項６】
前記収納カセットの構成部材が動作されたことを検知する検知部が前記収納カセットに設けられており、
前記状態検知部は、前記検知部による検知情報に基づいて前記収納カセットの構成部材が動作されたことを検知するようになっている、請求項５記載の貨幣処理装置。
【請求項７】
前記状態検知部は、前記収納カセットが前記装着部に装着されている場合に当該収納カセットの構成部材が動作されたときに当該動作を検知するようになっている、請求項５記載の貨幣処理装置。
【請求項８】
前記状態検知部は、前記記録媒体への書き込み異常、または前記収納カセットに貨幣が収納されているにもかかわらず収納されている貨幣の情報が前記記録媒体に記録されていないことを検知するようになっている、請求項１または２記載の貨幣処理装置。
【請求項９】
前記計数部は、貨幣の識別を行う識別部を含む、請求項１乃至８のいずれか一項に記載の貨幣処理装置。
【請求項１０】
少なくとも貨幣の出金処理を行う第１貨幣処理装置と、
少なくとも貨幣の入金処理を行う第２貨幣処理装置と、
を備え、
貨幣の収納および収納されている貨幣の繰り出しを行う収納カセットが前記第１貨幣処理装置および前記第２貨幣処理装置にそれぞれ着脱自在に装着されるようになっており、
前記収納カセットには、収納されている貨幣の情報が記録される記録媒体が設けられており、
前記第２貨幣処理装置は、前記収納カセットが前記第２貨幣処理装置に装着されているときに当該収納カセットに設けられた前記記録媒体から情報を読み取る読取部と、貨幣を計数する計数部と、前記第１貨幣処理装置または前記収納カセット自体の状態を検知する状態検知部と、前記状態検知部により検知された状態に基づいて、前記収納カセットから取り出された貨幣について前記計数部により計数を行うか否かを判定する判定手段とを有している、貨幣管理システム。
【請求項１１】
前記記録媒体に、前記第１貨幣処理装置または前記収納カセット自体の状態が記録されるようになっており、
前記第２貨幣処理装置の前記状態検知部は、前記読取部により前記記録媒体から読み取られた情報に基づいて、前記第１貨幣処理装置または前記収納カセット自体の状態を検知するようになっている、請求項１０記載の貨幣管理システム。
【請求項１２】
貨幣の収納および収納されている貨幣の繰り出しを行い、収納されている貨幣の情報が記録される記録媒体が設けられている収納カセットを装着部に装着させる工程と、
前記装着部に装着されている前記収納カセットに設けられた前記記録媒体から情報を読み取る工程と、
前記収納カセットが装着される他の貨幣処理装置または前記収納カセット自体の状態を状態検知部により検知する工程と、
前記状態検知部により検知された状態に基づいて、前記収納カセットから取り出された貨幣について計数を行うか否かを判定する工程と、
を備えた、貨幣処理方法。
【請求項１３】
前記記録媒体に、前記収納カセットが装着される他の貨幣処理装置または前記収納カセット自体の状態が記録されるようになっており、
前記状態検知部は、前記記録媒体から読み取られた情報に基づいて、前記収納カセットが装着される他の貨幣処理装置または前記収納カセット自体の状態を検知するようになっている、請求項１２記載の貨幣処理方法。
【発明の詳細な説明】
【技術分野】
【０００１】
本発明は、硬貨の少なくとも入金処理を行う貨幣処理装置、このような貨幣処理装置を備えた貨幣管理システムおよびこのような貨幣処理装置による貨幣処理方法に関する。
【背景技術】
【０００２】
スーパーマーケットやコンビニエンスストア等の商業施設の店舗において、商品棚が設置されるフロント領域の精算所には貨幣釣銭機が設置されるとともに顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。また、バックヤード領域に設置される出納機等の入出金機は、貨幣釣銭機から回収された売上金としての貨幣の入金処理を行うとともに、貨幣釣銭機に補充されるべき釣銭補充金としての貨幣の出金処理を行うようになっている。
【０００３】
フロント領域に設置される貨幣釣銭機およびバックヤード領域に設置される入出金機を組み合わせた貨幣管理システムとして、従来から様々なタイプのものが用いられている。例えば、特許文献１には、少なくとも１台の貨幣釣銭機と、貨幣釣銭機から回収された貨幣の入金処理を行う現金処理装置と、貨幣釣銭機に保有されている金種毎の釣銭用貨幣の在高枚数情報、貨幣釣銭機における金種毎の釣銭必要枚数情報および現金処理装置における入金額情報を管理する現金データ管理装置とを備えた現金管理システムが開示されている。このような現金管理システムでは、現金データ管理装置は、貨幣釣銭機から送信される在高データにより、当該貨幣釣銭機に補充されるべき釣銭補充金としての貨幣の金種毎の枚数に係る情報を現金処理装置に通知するようになっており、現金処理装置は、現金データ管理装置から通知された情報に基づいて貨幣釣銭機に補充されるべき釣銭補充金としての貨幣を出金するようになっている。また、貨幣釣銭機から売上金としての貨幣が回収される際に、現金データ管理装置は、貨幣釣銭機における貨幣の在高と、必要な釣銭明細（すなわち、貨幣釣銭機に釣銭として残置されるべき貨幣の金種毎の枚数に係る情報）とに基づいて、貨幣釣銭機から回収されるべき貨幣の金種毎の枚数や金額等を算出し、この算出された情報を貨幣釣銭機に通知するようになっており、貨幣釣銭機は、現金データ管理装置から通知された情報に基づいて回収されるべき貨幣を出金するようになっている。
【先行技術文献】
【特許文献】
【０００４】
【特許文献１】特許第５１２５１３６号
【発明の概要】
【発明が解決しようとする課題】
【０００５】
しかしながら、特許文献１等に開示されるような従来の貨幣管理システムでは、現金データ管理装置が必要となるためシステム全体での設置費用やメンテナンス費用が高くなってしまうという問題がある。また、貨幣釣銭機が複数存在する場合は、現金処理装置から出金された釣銭としての貨幣を、当該貨幣が補充されるべき貨幣釣銭機とは別の貨幣釣銭機に誤って補充してしまうおそれがある。
【０００６】
また、他の貨幣管理システムの例として、フロント領域に設置される貨幣釣銭機およびバックヤード領域に設置される入出金機にそれぞれ紙幣収納カセットが着脱自在に装着されるようにし、貨幣釣銭機から回収された紙幣を入出金機に入金するにあたり、紙幣収納カセットを貨幣釣銭機に装着させ、回収されるべき紙幣が紙幣収納カセットに収納されると、紙幣収納カセットをフロント領域からバックヤード領域に運搬するものがある。このような貨幣管理システムにおいて、紙幣収納カセットに収納されている紙幣の情報が記録される記録媒体を紙幣収納カセットに設けた場合には、貨幣釣銭機から回収された紙幣の情報を入出金機で管理できるようになる。しかしながら、従来では、紙幣収納カセットに設けられた記録媒体を用いることにより貨幣釣銭機から回収された紙幣の情報を入出金機で管理する場合でも、紙幣収納カセットから取り出された貨幣を入出金機において必ず計数していたため、計数する必要が無い場合でも計数してしまうことがあり、処理効率が悪いという問題があった。
【０００７】
本発明は、このような点を考慮してなされたものであり、計数部により貨幣を計数する必要がない場合には当該計数部による貨幣の計数処理を省略することができるため処理効率を向上させ処理時間を短縮することができる貨幣処理装置、貨幣管理システムおよび貨幣処理方法を提供することを目的とする。
【課題を解決するための手段】
【０００８】
本発明の貨幣処理装置は、貨幣の収納および収納されている貨幣の繰り出しを行い、収納されている貨幣の情報が記録される記録媒体が設けられている収納カセットが着脱自在に装着される装着部と、前記装着部に装着されている前記収納カセットに設けられた前記記録媒体から情報を読み取る読取部と、貨幣を計数する計数部と、前記収納カセットが装着される他の貨幣処理装置または前記収納カセット自体の状態を検知する状態検知部と、前記状態検知部により検知された状態に基づいて、前記収納カセットから取り出された貨幣について前記計数部により計数を行うか否かを判定する判定手段と、を備えたことを特徴とする。
【０００９】
このような貨幣処理装置によれば、収納カセットが装着される他の貨幣処理装置または収納カセット自体の状態を状態検知部により検知し、状態検知部により検知された状態に基づいて、収納カセットから取り出された貨幣について計数部により計数を行うか否かを判定することにより、計数部により貨幣を計数する必要がない場合には当該計数部による貨幣の計数処理を省略することができるため処理効率を向上させ処理時間を短縮することができる。
【００１０】
本発明の貨幣処理装置においては、前記記録媒体に、前記収納カセットが装着される他の貨幣処理装置または前記収納カセット自体の状態が記録されるようになっており、前記状態検知部は、前記読取部により前記記録媒体から読み取られた情報に基づいて、前記収納カセットが装着される他の貨幣処理装置または前記収納カセット自体の状態を検知するようになっていてもよい。
【００１１】
本発明の貨幣処理装置においては、前記状態検知部は、他の貨幣処理装置の異常を検知するようになっていてもよい。
【００１２】
この場合、前記状態検知部は、他の貨幣処理装置の異常として貨幣の詰まりが発生したことを検知するようになっていてもよい。
【００１３】
また、前記状態検知部は、前記収納カセットの構成部材が動作されたことを検知するようになっていてもよい。
【００１４】
この場合、前記収納カセットの構成部材が動作されたことを検知する検知部が前記収納カセットに設けられており、前記状態検知部は、前記検知部による検知情報に基づいて前記収納カセットの構成部材が動作されたことを検知するようになっていてもよい。
【００１５】
あるいは、前記状態検知部は、前記収納カセットが前記装着部に装着されている場合に当該収納カセットの構成部材が動作されたときに当該動作を検知するようになっていてもよい。
【００１６】
本発明の貨幣処理装置においては、前記状態検知部は、前記記録媒体への書き込み異常、または前記収納カセットに貨幣が収納されているにもかかわらず収納されている貨幣の情報が前記記録媒体に記録されていないことを検知するようになっていてもよい。
【００１７】
本発明の貨幣処理装置においては、前記計数部は、貨幣の識別を行う識別部を含んでいてもよい。
【００１８】
本発明の貨幣管理システムは、少なくとも貨幣の出金処理を行う第１貨幣処理装置と、少なくとも貨幣の入金処理を行う第２貨幣処理装置と、を備え、貨幣の収納および収納されている貨幣の繰り出しを行う収納カセットが前記第１貨幣処理装置および前記第２貨幣処理装置にそれぞれ着脱自在に装着されるようになっており、前記収納カセットには、収納されている貨幣の情報が記録される記録媒体が設けられており、前記第２貨幣処理装置は、前記収納カセットが前記第２貨幣処理装置に装着されているときに当該収納カセットに設けられた前記記録媒体から情報を読み取る読取部と、貨幣を計数する計数部と、前記第１貨幣処理装置または前記収納カセット自体の状態を検知する状態検知部と、前記状態検知部により検知された状態に基づいて、前記収納カセットから取り出された貨幣について前記計数部により計数を行うか否かを判定する判定手段とを有していることを特徴とする。
【００１９】
このような貨幣管理システムによれば、第２貨幣処理装置において、第１貨幣処理装置または収納カセット自体の状態を状態検知部により検知し、状態検知部により検知された状態に基づいて、収納カセットから取り出された貨幣について計数部により計数を行うか否かを判定することにより、第２貨幣処理装置において計数部により貨幣を計数する必要がない場合には当該計数部による貨幣の計数処理を省略することができるため処理効率を向上させ処理時間を短縮することができる。
【００２０】
本発明の貨幣管理システムにおいては、前記記録媒体に、前記第１貨幣処理装置または前記収納カセット自体の状態が記録されるようになっており、前記第２貨幣処理装置の前記状態検知部は、前記読取部により前記記録媒体から読み取られた情報に基づいて、前記第１貨幣処理装置または前記収納カセット自体の状態を検知するようになっていてもよい。
【００２１】
本発明の貨幣処理方法は、貨幣の収納および収納されている貨幣の繰り出しを行い、収納されている貨幣の情報が記録される記録媒体が設けられている収納カセットを装着部に装着させる工程と、前記装着部に装着されている前記収納カセットに設けられた前記記録媒体から情報を読み取る工程と、前記収納カセットが装着される他の貨幣処理装置または前記収納カセット自体の状態を状態検知部により検知する工程と、前記状態検知部により検知された状態に基づいて、前記収納カセットから取り出された貨幣について計数を行うか否かを判定する工程と、を備えたことを特徴とする。
【００２２】
このような貨幣処理方法によれば、収納カセットが装着される他の貨幣処理装置または収納カセット自体の状態を状態検知部により検知し、状態検知部により検知された状態に基づいて、収納カセットから取り出された貨幣について計数を行うか否かを判定することにより、計数部により貨幣を計数する必要がない場合には当該計数部による貨幣の計数処理を省略することができるため処理効率を向上させ処理時間を短縮することができる。
【００２３】
本発明の貨幣処理方法においては、前記記録媒体に、前記収納カセットが装着される他の貨幣処理装置または前記収納カセット自体の状態が記録されるようになっており、前記状態検知部は、前記記録媒体から読み取られた情報に基づいて、前記収納カセットが装着される他の貨幣処理装置または前記収納カセット自体の状態を検知するようになっていてもよい。
【発明の効果】
【００２４】
本発明による貨幣処理装置、貨幣管理システムおよび貨幣処理方法によれば、計数部により貨幣を計数する必要がない場合には当該計数部による貨幣の計数処理を省略することができるため処理効率を向上させ処理時間を短縮することができる。
【図面の簡単な説明】
【００２５】
【図１】本発明の実施の形態における貨幣管理システムの構成を概略的に説明するための概略構成図である。
【図２】図１に示す貨幣管理システムにおける貨幣入出金機の外観を示す斜視図である。
【図３】図２に示す貨幣入出金機における紙幣処理ユニットの内部構成を側方から見たときの構成図である。
【図４】図２に示す貨幣入出金機における硬貨処理ユニットの内部構成を上方から見たときの構成図である。
【図５】図２に示す貨幣入出金機における包装硬貨収納ユニットの引出部の構成を示す斜視図である。
【図６】図２に示す貨幣入出金機における制御系の構成を示す機能ブロック図である。
【図７】図１に示す貨幣管理システムにおける貨幣釣銭機およびＰＯＳレジスタの外観を示す斜視図である。
【図８】図７に示す貨幣釣銭機における紙幣処理ユニットの内部構成を側方から見たときの構成図である。
【図９】図７に示す貨幣釣銭機における硬貨処理ユニットの内部構成を上方から見たときの構成図である。
【図１０】図７に示す貨幣釣銭機において包装硬貨収納ユニットの収納ドロアを筐体から引き出したときの構成を上方から見たときの構成図である。
【図１１】図７に示す貨幣釣銭機およびＰＯＳレジスタにおける制御系の構成を示す機能ブロック図である。
【図１２】図１に示す貨幣管理システムにおいて貨幣入出金機のカセット装着部および貨幣釣銭機のカセット装着部にそれぞれ着脱自在に装着可能となっている紙幣収納カセットの外観を示す斜視図である。
【図１３】図１２に示す貨幣釣銭機における紙幣処理ユニットの内部構成を側方から見たときの構成図である。
【図１４】図１に示す貨幣管理システムにおいて貨幣の処理を行う際の貨幣入出金機および貨幣釣銭機の動作をそれぞれ示すフローチャートである。
【発明を実施するための形態】
【００２６】
以下、図面を参照して本発明の実施の形態について説明する。図１乃至図１４は、本実施の形態による貨幣管理システムおよびこのような貨幣管理システムに設けられた第１貨幣処理装置としての貨幣釣銭機や第２貨幣処理装置としての貨幣入出金機を示す図である。このうち、図１は、本実施の形態における貨幣管理システムの構成を概略的に説明するための概略構成図であり、図２は、図１に示す貨幣管理システムにおける貨幣入出金機の外観を示す斜視図である。また、図３乃至図５は、ぞれぞれ、図２に示す貨幣入出金機における紙幣処理ユニット、硬貨処理ユニットおよび包装硬貨収納ユニットの構成を示す図である。また、図６は、図２に示す貨幣入出金機における制御系の構成を示す機能ブロック図である。また、図７は、図１に示す貨幣管理システムにおける貨幣釣銭機およびＰＯＳレジスタの外観を示す斜視図であり、図８乃至図１０は、それぞれ、図７に示す貨幣釣銭機における紙幣処理ユニット、硬貨処理ユニットおよび包装硬貨収納ユニットの構成を示す図である。また、図１１は、図７に示す貨幣釣銭機およびＰＯＳレジスタにおける制御系の構成を示す機能ブロック図である。また、図１２は、図１に示す貨幣管理システムにおいて貨幣入出金機のカセット装着部および貨幣釣銭機のカセット装着部にそれぞれ着脱自在に装着可能となっている紙幣収納カセットの外観を示す斜視図であり、図１３は、図１２に示す貨幣釣銭機における紙幣処理ユニットの内部構成を側方から見たときの構成図である。また、図１４は、図１に示す貨幣管理システムにおいて貨幣の処理を行う際の貨幣入出金機および貨幣釣銭機の動作をそれぞれ示すフローチャートである。
【００２７】
図１に示すように、コンビニエンスストアやスーパーマーケット等の商業施設の店舗４２０において、顧客が立ち入ることができるフロント領域には様々な商品が陳列された商品棚が設置されているとともに、このフロント領域の精算所には貨幣釣銭機２００（第１貨幣処理装置）やＰＯＳレジスタ２９０が設置されている。顧客がこのような精算所で精算処理を行う際に、店員は、顧客から受け取った商品の代金としての貨幣を貨幣釣銭機２００に入金したり、釣銭としての貨幣を貨幣釣銭機２００から出金して顧客に返却したりするようになっている。また、ＰＯＳレジスタ２９０により、顧客が購入した商品に係る情報や貨幣釣銭機２００に収納されている貨幣に係る情報等の管理が行われるようになっている。また、このような店舗４２０における顧客の立ち入りが禁止されたバックヤード領域（具体的には、例えば入金室）には、貨幣釣銭機２００から回収された売上金としての貨幣を入金する出納機等の貨幣入出金機１００（第２貨幣処理装置）が設置されている。また、貨幣釣銭機２００において釣銭としての貨幣が不足する場合には、貨幣入出金機１００から釣銭補充金としての貨幣を出金し、この貨幣入出金機１００から出金された釣銭補充金としての貨幣を貨幣釣銭機２００に補充することができるようになっている。本実施の形態では、このような貨幣入出金機１００および貨幣釣銭機２００を組み合わせることにより貨幣管理システム１が構成されている。
【００２８】
また、図１に示すように、本実施の形態による貨幣管理システム１では、警送会社４１０の警備員等により、貨幣入出金機１００から、紙幣や硬貨が収納されている回収カセット１４０、１７０（後述）が取り出され、これらの回収カセット１４０、１７０ごと紙幣や硬貨が貨幣入出金機１００から警送会社に回収されるようになっている。また、警送会社４１０の警備員は、貨幣釣銭機２００で用いられる釣銭準備金としての貨幣を警送会社４１０から店舗４２０に運搬し、この店舗４２０に設けられた金庫４２２に収納させるようになっている。そして、貨幣入出金機１００において上記の釣銭準備金としての貨幣が不足した場合には、店舗４２０の管理者は、金庫４２２から貨幣を取り出して貨幣入出金機１００に入金するようになっている。
【００２９】
また、図１に示すように、本実施の形態による貨幣管理システム１では、貨幣入出金機１００はＬＡＮ４０４を介して店舗４２０の外部に設けられたターミナル４００やユーザーサーバー４０２に通信可能に接続されており、これらのターミナル４００やユーザーサーバー４０２により、貨幣入出金機１００における貨幣の在高や、警送会社４１０の警備員等や店舗４２０の店員等の操作者の情報が管理されるようになっている。
【００３０】
次に、このような貨幣管理システム１における貨幣入出金機１００および貨幣釣銭機２００の構成の詳細について説明する。
【００３１】
まず、店舗４２０のバックヤード領域に設けられた貨幣入出金機１００の構成の詳細について図２乃至図６を用いて説明する。図２等に示すように、本実施の形態による貨幣入出金機１００は、略直方体形状の筐体１０１を備えており、この筐体１０１の内部には、紙幣の入金処理および出金処理を行う紙幣処理ユニット１１０、硬貨の入金処理および出金処理を行う硬貨処理ユニット１５０、および包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図２に示すように、紙幣処理ユニット１１０および硬貨処理ユニット１５０は貨幣入出金機１００を手前側から見て左右に並ぶよう配置されており、これらの紙幣処理ユニット１１０および硬貨処理ユニット１５０の下方に包装硬貨収納ユニット１８０が配置されている。
【００３２】
図２および図３に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の紙幣収納部１３４、１３６とを備えている。なお、図３において、筐体１０１の右側の側面が紙幣処理ユニット１１０の手前側の面となっており、図３における左向きの方向が紙幣処理ユニット１１０の奥行き方向となっている。図３に示すように、搬送部１３０は、筐体１０１の上部における中央位置に配置された周回搬送部１３０ａおよび複数の接続搬送部１３０ｂから構成されている。また、紙幣受入部１２０、紙幣払出部１２２、出金リジェクト部１２４、後述する紙幣収納カセット３００を着脱自在に装着可能なカセット装着部１２６、回収カセット１４０および２つの紙幣収納部１３４、１３６が、それぞれ、周回搬送部１３０ａを取り囲むよう配置されている。また、図３に示すように、複数の接続搬送部１３０ｂの各々により、紙幣受入部１２０、紙幣払出部１２２、出金リジェクト部１２４、カセット装着部１２６、回収カセット１４０および２つの紙幣収納部１３４、１３６の各々と、周回搬送部１３０ａとの間をそれぞれ接続するようになっている。また、周回搬送部１３０ａには識別部１３２が設けられており、この識別部１３２は、周回搬送部１３０ａにより搬送される紙幣の金種、真偽、正損、表裏、新旧、搬送状態等の識別を行うようになっている。
【００３３】
周回搬送部１３０ａは、図３における時計回りの方向および反時計回りの方向の両方向に紙幣を１枚ずつ搬送することができるようになっている。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００３４】
図２および図３に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより紙幣収納カセット３００をカセット装着部１２６に装着させたりこのカセット装着部１２６から紙幣収納カセット３００を取り出したりすることができるようになっている。また、図６に示すように、カセット装着部１２６には、当該カセット装着部１２６に装着された紙幣収納カセット３００に設けられている記録媒体３０４（後述）に様々な情報を書き込む書込部１２８および当該記録媒体３０４から様々な情報を読み取る読取部１２９がそれぞれ設けられている。書込部１２８により記録媒体３０４に書き込まれる情報や読取部１２９により記録媒体３０４から読み取られる情報の詳細については後述する。
【００３５】
紙幣受入部１２０には紙幣繰出機構１２１が設けられており、紙幣受入口１２０ａに１枚あるいは複数枚の紙幣が投入されたことが検知されると紙幣繰出機構１２１が駆動されることにより紙幣が接続搬送部１３０ｂを介して周回搬送部１３０ａ側へ１枚ずつ繰り出されるようになっている。
【００３６】
紙幣払出部１２２は、各紙幣収納部１３４、１３６から周回搬送部１３０ａに繰り出された紙幣を紙幣取出口１２２ａにより筐体１０１の外部へ放出するようになっている。
【００３７】
出金リジェクト部１２４は、出金処理時において各紙幣収納部１３４、１３６から繰り出された紙幣のうち、重送や斜行等の搬送異常により識別部１３２で識別することができない紙幣を出金リジェクト紙幣として収納するようになっている。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却されるようになっている。
【００３８】
各紙幣収納部１３４、１３６は、識別部１３２の識別結果に基づいて紙幣を金種別に収納するようになっている。これらの紙幣収納部１３４、１３６には、貨幣釣銭機２００への釣銭補充金の紙幣として貨幣入出金機１００から出金されるべき紙幣が収納されるようになっている。具体的には、例えば紙幣収納部１３４には千円札が収納され、紙幣収納部１３６には五千円札が収納されるようになっている。なお、一万円札は後述する回収カセット１４０に収納されるようになっている。また、各紙幣収納部１３４、１３６にはそれぞれ紙幣繰出機構１３５、１３７が設けられており、これらの紙幣収納部１３４、１３６に収納されている紙幣は各紙幣繰出機構１３５、１３７により接続搬送部１３０ｂを介して周回搬送部１３０ａ側へ１枚ずつ繰り出されるようになっている。
【００３９】
筐体１０１の内部における下部領域には回収カセット１４０が収容されており、警送会社４１０の警備員により回収されるべき紙幣が回収カセット１４０に収納されるようになっている。具体的には、識別部１３２により識別された紙幣が周回搬送部１３０ａから接続搬送部１３０ｂを経て回収カセット１４０に送られるようになっている。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができるようになっている。
【００４０】
次に、硬貨処理ユニット１５０の構成について説明する。図２および図４に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００４１】
硬貨受入部１５２は、硬貨投入口を介して受け入れた硬貨を１層１列状態で１枚ずつ筐体１０１内に取り込むようになっている。より詳細には、硬貨受入部１５２には繰出ベルト等からなる硬貨繰出機構１５３（図６参照）が設けられており、硬貨受入部１５２に受け入れられた硬貨を検知するとこの硬貨繰出機構１５３が駆動されることにより当該硬貨繰出機構１５３によって硬貨が筐体１０１の内部に１枚ずつ繰り出されるようになっている。また、図４に示すように、硬貨受入部１５２には、当該硬貨受入部１５２により筐体１０１の内部に繰り出された硬貨を搬送する入金搬送部１５４が接続されている。
【００４２】
図４に示すように、入金搬送部１５４の途中には、硬貨の金種、真偽、正損、表裏、新旧、搬送状態等の識別を行う識別部１５６と、第１分岐部１５８とがそれぞれ設けられている。第１分岐部１５８は、識別部１５６による硬貨の識別結果に基づいて、リジェクト硬貨等の、硬貨払出部１６６から払い出されるべき硬貨を入金搬送部１５４から分岐させて出金搬送部１６２へ案内するようになっている。
【００４３】
一方、正常硬貨等の筐体１０１内に収納されるべき硬貨は入金搬送部１５４により各収納繰出部１６０へ搬送されるようになっている。収納繰出部１６０は硬貨を金種別に収納するとともに収納されている硬貨を繰出可能となるよう構成されている。具体的には、例えば日本国で流通している硬貨の６つの金種（５００円硬貨、１００円硬貨、５０円硬貨、１０円硬貨、５円硬貨および１円硬貨）に対応して６つの収納繰出部１６０が設けられており、入金搬送部１５４の上流側（すなわち、図４における下側）から低額順に各収納繰出部１６０に硬貨が金種毎に収納されるようになっている。また、収納繰出部１６０には、当該収納繰出部１６０に収納された硬貨を１枚ずつ出金搬送部１６２に繰り出す硬貨繰出機構（図示せず）が設けられている。
【００４４】
出金搬送部１６２は、収納繰出部１６０から繰り出された硬貨を硬貨払出部１６６へ搬送するようになっている。また、出金搬送部１６２は、第１分岐部１５８により入金搬送部１５４から分岐させられたリジェクト硬貨等を硬貨払出部１６６へ搬送するようになっている。
【００４５】
筐体１０１の内部における下部領域には回収カセット１７０が収容されており、警送会社４１０の警備員により回収されるべき硬貨が回収カセット１７０に収納されるようになっている。具体的には、図４に示すように、出金搬送部１６２の途中箇所には第２分岐部１６４が設けられており、当該第２分岐部１６４により出金搬送部１６２から分岐させられた硬貨は回収カセット１７０に送られてこの回収カセット１７０に収納されるようになっている。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができるようになっている。
【００４６】
次に、包装硬貨収納ユニット１８０の構成について説明する。図５に示すように、包装硬貨収納ユニット１８０は、包装硬貨が金種毎に収納される複数の収納領域１８０ａ〜１８０ｆが設けられた引出部１８２を有しており、当該引出部１８２は貨幣入出金機１００の筐体１０１の内部から手前側に引き出し可能となっている。なお、図５に示すように、各収納領域１８０ａ〜１８０ｆに包装硬貨が収納されたときに当該包装硬貨の長手方向が鉛直方向を向くようになっている。そして、引出部１８２を貨幣入出金機１００の筐体１０１の内部から手前側に引き出すことにより、各収納領域１８０ａ〜１８０ｆに包装硬貨を収納したりこれらの収納領域１８０ａ〜１８０ｆに収納されている包装硬貨を取り出したりすることができるようになっている。また、図６に示すように、包装硬貨収納ユニット１８０は、引出部１８２を筐体１０１の内部にロックするロック機構１８４が設けられており、引出部１８２が筐体１０１の内部にロックされている状態では当該引出部１８２を筐体１０１の内部から手前側に引き出すことができないようになっている。また、包装硬貨収納ユニット１８０には、引出部１８２の各収納領域１８０ａ〜１８０ｆに収納されている包装硬貨の重量を測定する重量計１８６が設けられている。このような重量計１８６により測定される包装硬貨の重量に基づいて、後述する制御部１０２において引出部１８２の各収納領域１８０ａ〜１８０ｆに収納されている包装硬貨の数が検知されるようになっている。
【００４７】
次に、このような貨幣入出金機１００における制御系の構成について図６を用いて説明する。図６に示すように、本実施の形態による貨幣入出金機１００の筐体１０１の内部には制御部１０２が設けられており、当該制御部１０２により紙幣処理ユニット１１０、硬貨処理ユニット１５０および包装硬貨収納ユニット１８０の各々の構成部材が制御されるようになっている。具体的には、制御部１０２には、紙幣処理ユニット１１０の紙幣繰出機構１２１、搬送部１３０、識別部１３２、紙幣繰出機構１３５、１３７、カセット装着部１２６、書込部１２８、読取部１２９等が接続されており、識別部１３２による紙幣の識別情報や、紙幣収納カセット３００に設けられた記録媒体３０４から読取部１２９により読み取られた情報が制御部１０２に送られるとともに、制御部１０２は紙幣処理ユニット１１０の各構成部材に指令信号を送ることによりこれらの構成部材の制御を行うようになっている。また、制御部１０２には、硬貨処理ユニット１５０の硬貨繰出機構１５３、入金搬送部１５４、識別部１５６、第１分岐部１５８、各収納繰出部１６０、出金搬送部１６２および第２分岐部１６４等が接続されており、識別部１５６による硬貨の識別情報が制御部１０２に送られるとともに、制御部１０２は硬貨処理ユニット１５０の各構成部材に指令信号を送ることによりこれらの構成部材の制御を行うようになっている。また、制御部１０２には、包装硬貨収納ユニット１８０のロック機構１８４および重量計１８６等が接続されており、重量計１８６による包装硬貨の測定結果が制御部１０２に送られるとともに、制御部１０２はロック機構１８４に指令信号を送ることにより当該ロック機構１８４の制御を行うようになっている。
【００４８】
また、図６に示すように、制御部１０２には、操作表示部１０４、通信部１０５、記憶部１０６、状態検知部１０７および判定手段１０８がそれぞれ接続されている。操作表示部１０４は筐体１０１の上部に設けられたタッチパネル等からなり、操作者が操作するための操作画面や、紙幣処理ユニット１１０、硬貨処理ユニット１５０および包装硬貨収納ユニット１８０の各々に収納されている貨幣の在高に係る情報が操作表示部１０４に表示されるようになっている。また、このような操作表示部１０４において操作者は操作画面における操作ボタンに指を触れることによって制御部１０２に様々な指令を入力することができるようになっている。通信部１０５は、ターミナル４００やユーザーサーバー４０２に対してＬＡＮ４０４を介して様々な信号の送受信を行うことができるようになっている。記憶部１０６には、紙幣処理ユニット１１０、硬貨処理ユニット１５０および包装硬貨収納ユニット１８０の各々に収納されている貨幣の在高に係る情報や、貨幣入出金機１００における貨幣の処理履歴等の様々な情報が記憶されるようになっている。
【００４９】
また、状態検知部１０７は、紙幣収納カセット３００が装着される他の装置（具体的には、貨幣釣銭機２００）または紙幣収納カセット３００自体の状態を検知するようになっている。また、判定手段１０８は、状態検知部１０７により検知された状態に基づいて、紙幣収納カセット３００から取り出された紙幣について識別部１３２により計数を行うか否かを判定するようになっている。これらの状態検知部１０７および判定手段１０８の機能の詳細については後述する。
【００５０】
次に、店舗４２０のフロント領域に設けられた貨幣釣銭機２００の構成の詳細について図７乃至図１１を用いて説明する。図７等に示すように、本実施の形態による貨幣釣銭機２００は、上下に並ぶよう配置された硬貨処理ユニット２５０および包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置されるようになっている。紙幣処理ユニット２１０および硬貨処理ユニット２５０は、それぞれ硬貨や紙幣の入出金処理を行うようになっている。また、包装硬貨収納ユニット２８０は、各金種の包装硬貨を取り出し可能に収納するようになっている。また、ＰＯＳレジスタ２９０は、貨幣釣銭機２００の管理を行う管理装置として用いられるようになっている。
【００５１】
まず、紙幣処理ユニット２１０の構成について図７および図８を用いて具体的に説明する。図７および図８に示すように、紙幣処理ユニット２１０は、略直方体形状の筐体２１２と、筐体２１２の前面側に設けられた紙幣受入部２２０と、筐体２１２の前面側において紙幣受入部２２０の下方に設けられた紙幣払出部２２２と、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備えている。なお、図８において、筐体２１２の右側の側面が紙幣処理ユニット２１０の手前側の面となっており、図８における左向きの方向が紙幣処理ユニット２１０の奥行き方向となっている。図８に示すように、搬送部２３０は、筐体２１２の中央位置に配置された周回搬送部２３０ａおよび複数の接続搬送部２３０ｂから構成されている。また、紙幣受入部２２０、紙幣払出部２２２、出金リジェクト部２２４、後述する紙幣収納カセット３００を着脱自在に装着可能なカセット装着部２２６および３つの紙幣収納部２３４、２３６、２３８が、それぞれ、周回搬送部２３０ａを取り囲むよう配置されている。また、図８に示すように、複数の接続搬送部２３０ｂの各々により、紙幣受入部２２０、紙幣払出部２２２、出金リジェクト部２２４、カセット装着部２２６および３つの紙幣収納部２３４、２３６、２３８の各々と、周回搬送部２３０ａとの間をそれぞれ接続するようになっている。また、周回搬送部２３０ａには識別部２３２が設けられており、この識別部２３２は、周回搬送部２３０ａにより搬送される紙幣の金種、真偽、正損、表裏、新旧、搬送状態等の識別を行うようになっている。
【００５２】
周回搬送部２３０ａは、図８における時計回りの方向および反時計回りの方向の両方向に紙幣を１枚ずつ搬送することができるようになっている。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００５３】
図７および図８に示すように、筐体２１２の前面には、紙幣受入部２２０の紙幣受入口２２０ａと、紙幣払出部２２２の紙幣取出口２２２ａとがそれぞれ設けられている。また、カセット装着部２２６の前面側には扉２２６ａが設けられており、この扉２２６ａを開くことにより紙幣収納カセット３００をカセット装着部２２６に装着させたりこのカセット装着部２２６から紙幣収納カセット３００を取り出したりすることができるようになっている。また、図１１に示すように、カセット装着部２２６には、当該カセット装着部２２６に装着された紙幣収納カセット３００に設けられている記録媒体３０４（後述）に様々な情報を書き込む書込部２２８および当該記録媒体３０４から様々な情報を読み取る読取部２２９がそれぞれ設けられている。書込部２２８により記録媒体３０４に書き込まれる情報や読取部２２９により記録媒体３０４から読み取られる情報の詳細については後述する。
【００５４】
紙幣受入部２２０には紙幣繰出機構２２１が設けられており、紙幣受入口２２０ａに１枚あるいは複数枚の紙幣が投入されたことが検知されると紙幣繰出機構２２１が駆動されることにより紙幣が接続搬送部２３０ｂを介して周回搬送部２３０ａ側へ１枚ずつ繰り出されるようになっている。
【００５５】
紙幣払出部２２２は、各紙幣収納部２３４、２３６、２３８から周回搬送部２３０ａに繰り出された紙幣を紙幣取出口２２２ａにより筐体２１２の外部へ放出するようになっている。
【００５６】
出金リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納するようになっている。また、紙幣受入部２２０から筐体２１２の内部に取り込まれた紙幣のうち、入金処理時において汚損等により識別部２３２で識別することができない紙幣は入金リジェクト紙幣として紙幣払出部２２２に返却されるようになっている。
【００５７】
各紙幣収納部２３４、２３６、２３８は、識別部２３２の識別結果に基づいて紙幣を金種別に収納するようになっている。これらの紙幣収納部２３４、２３６、２３８には、紙幣処理ユニット２１０に入金された売上金としての紙幣や釣銭として出金されるべき紙幣が収納されるようになっている。具体的には、例えば紙幣収納部２３４には千円札が収納され、紙幣収納部２３６には二千円札および五千円札が混合状態で収納され、紙幣収納部２３８には一万円札が収納されるようになっている。また、各紙幣収納部２３４、２３６、２３８にはそれぞれ紙幣繰出機構２３５、２３７、２３９が設けられており、これらの紙幣収納部２３４、２３６、２３８に収納されている紙幣は各紙幣繰出機構２３５、２３７、２３９により接続搬送部２３０ｂを介して周回搬送部２３０ａ側へ１枚ずつ繰り出されるようになっている。
【００５８】
次に、硬貨処理ユニット２５０の構成について説明する。図７および図９に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の収納繰出部２６０とを備えている。
【００５９】
硬貨受入部２５２は、硬貨投入口を介して受け入れた硬貨を１層１列状態で１枚ずつ筐体２５１内に取り込むようになっている。より詳細には、硬貨受入部２５２には繰出ベルト等からなる硬貨繰出機構２５３（図１１参照）が設けられており、硬貨受入部２５２に受け入れられた硬貨を検知するとこの硬貨繰出機構２５３が駆動されることにより当該硬貨繰出機構２５３によって硬貨が筐体２５１の内部に１枚ずつ繰り出されるようになっている。また、図９に示すように、硬貨受入部２５２には、当該硬貨受入部２５２により筐体２５１の内部に繰り出された硬貨を搬送する入金搬送部２５４が接続されている。
【００６０】
図９に示すように、入金搬送部２５４の途中には、硬貨の金種、真偽、正損、表裏、新旧、搬送状態等の識別を行う識別部２５６と、分岐部２５８とがそれぞれ設けられている。分岐部２５８は、識別部２５６による硬貨の識別結果に基づいて、リジェクト硬貨等の、硬貨払出部２６６から払い出されるべき硬貨を入金搬送部２５４から分岐させて出金搬送部２６２へ案内するようになっている。
【００６１】
一方、正常硬貨等の筐体２５１内に収納されるべき硬貨は入金搬送部２５４により各収納繰出部２６０へ搬送されるようになっている。収納繰出部２６０は硬貨を金種別に収納するとともに収納されている硬貨を繰出可能となるよう構成されている。具体的には、例えば日本国で流通している硬貨の６つの金種（５００円硬貨、１００円硬貨、５０円硬貨、１０円硬貨、５円硬貨および１円硬貨）に対応して６つの収納繰出部２６０が設けられており、入金搬送部２５４の上流側（すなわち、図９における下側）から低額順に各収納繰出部２６０に硬貨が金種毎に収納されるようになっている。また、収納繰出部２６０には、当該収納繰出部２６０に収納された硬貨を１枚ずつ出金搬送部２６２に繰り出す硬貨繰出機構（図示せず）が設けられている。
【００６２】
出金搬送部２６２は、収納繰出部２６０から繰り出された硬貨を硬貨払出部２６６へ搬送するようになっている。また、出金搬送部２６２は、分岐部２５８により入金搬送部２５４から分岐させられたリジェクト硬貨等を硬貨払出部２６６へ搬送するようになっている。
【００６３】
次に、包装硬貨収納ユニット２８０の構成について具体的に説明する。図７および図１０に示すように、包装硬貨収納ユニット２８０は、手前側の側面が開口している略直方体形状の筐体２８１と、筐体２８１内に収容可能となっているとともに当該筐体２８１から手前側に引き出し可能な収納ドロア２８２とを備えており、収納ドロア２８２には各金種の包装硬貨が例えば２列で収納されるようになっている（図１０において、収納ドロア２８２に収納された各金種の包装硬貨を斜線で示している）。ここで、収納ドロア２８２には、包装硬貨を１本ずつ収納する収納部（ポケット）が複数個形成されており、各収納部に収納される包装硬貨の金種毎の収納本数および位置が予め設定されている。具体的には、図１０において参照符号Ａで示す領域には８本の１００円の包装硬貨が収納可能となっており、参照符号Ｂで示す領域には１本の５００円の包装硬貨が収納可能となっており、参照符号Ｃで示す領域には１本の５０円の包装硬貨が収納可能となっている。また、図１０において参照符号Ｄで示す領域には６本の１０円の包装硬貨が収納可能となっており、参照符号Ｅで示す領域には４本の１円の包装硬貨が収納可能となっており、参照符号Ｆで示す領域には１本の５円の包装硬貨が収納可能となっている。
【００６４】
また、図１１に示すように、包装硬貨収納ユニット２８０の筐体２８１の内部には、収納ドロア２８２が筐体２８１に完全に収容されたときに当該収納ドロア２８２を筐体２８１内にロックするためのロック機構２８６が設けられている。ここで、ロック機構２８６が収納ドロア２８２を筐体２８１の内部にロックしたときには、この収納ドロア２８２を筐体２８１から手前側に引き出すことができなくなり、よって収納ドロア２８２から包装硬貨を取り出すことができなくなる。
【００６５】
また、包装硬貨収納ユニット２８０の筐体２８１における前面開口の近傍には、収納ドロア２８２が筐体２８１から手前側に引き出されたり筐体２８１の内部に戻されたりする際に当該収納ドロア２８２に収納されている包装硬貨の金種毎の本数を検知する検知手段２８４が設けられている。具体的には、図１０等に示すように、検知手段２８４は左右一対の光センサ２８４ａおよび筐体２８１からの収納ドロア２８２の引き出し量を検知するロータリエンコーダ２８４ｂを有している。ここで、各光センサ２８４ａは発光素子および受光素子を有しており、発光素子から発せられた光は、包装硬貨収納ユニット２８０の幅方向（図１０における左右方向）に延びる光軸を通って受光素子に送られるようになっている。そして、収納ドロア２８２が筐体２８１の内部に完全に収容されていたり当該収納ドロア２８２が筐体２８１から完全に引き出されたりしているときには、各光センサ２８４ａにおいて発光素子から発せられた光は受光素子により受けられ、一方、収納ドロア２８２が筐体２８１から手前側に引き出されたり筐体２８１の内部に戻されたりする際に、発光素子から発せられた光が収納ドロア２８２内に収納された包装硬貨により遮られることにより受光素子に届かなくなり、このことにより包装硬貨の孔の有無や直径の大きさが検知されるようになる。前述したように、収納ドロア２８２において、収納される包装硬貨の金種毎の収納本数および位置が予め設定されているため、光センサ２８４ａにより検知された包装硬貨の孔の有無や直径の大きさ、ならびにロータリエンコーダ２８４ｂにより検知された筐体２８１からの収納ドロア２８２の引き出し量に基づいて、収納ドロア２８２に収納された包装硬貨の金種毎の本数、および各包装硬貨が収納ドロア２８２内の所定の位置に正しく収納されているか否か等が検知されるようになっている。
【００６６】
なお、本実施の形態による包装硬貨収納ユニット２８０は上記の構成のものに限定されることはない。他の構成の包装硬貨収納ユニット２８０において、収納ドロア２８２に収納されている包装硬貨の金種毎の本数を検知する検知手段２８４として、収納ドロア２８２の収納部に収納される包装硬貨の有無および金種（材質）を検出するセンサを全ての収納部に配置するような方式のものが用いられてもよい。
【００６７】
次に、ＰＯＳレジスタ２９０の構成について具体的に説明する。図７および図１１に示すように、ＰＯＳレジスタ２９０は、ＰＯＳ制御部２９１と、ＰＯＳ制御部２９１にそれぞれ接続されたモニタ等の表示部２９３および操作キー等の操作部２９４とを備えている。操作部２９４は、操作者が操作することができるようになっており、ＰＯＳ制御部２９１に対して様々な指令を与えることができるようになっている。また、表示部２９３は、紙幣処理ユニット２１０や硬貨処理ユニット２５０における紙幣や硬貨の処理状況や、紙幣処理ユニット２１０や硬貨処理ユニット２５０に収納されている紙幣や硬貨の在高等の情報を表示するようになっている。また、ＰＯＳレジスタ２９０には顧客が視認可能な追加の表示部２９３ａが設けられており、様々な情報を表示部２９３に表示させる代わりに、あるいは表示部２９３における表示に加えて、追加の表示部２９３ａにおいて表示が行われるようになっていてもよい。また、ＰＯＳレジスタ２９０にはカードリーダ２９６および印字部２９７が設けられている（図１１参照、図７では図示せず）。カードリーダ２９６は、店員等の操作者が携帯するＩＤカードを読み取ることにより当該操作者のＩＤや権限等に関する情報を取得するようになっている。また、印字部２９７は例えばプリンタから構成され、売上レシートや集計レシートに加えて、紙幣処理ユニット２１０や硬貨処理ユニット２５０に収納されている紙幣や硬貨の在高等の情報をレシートに印字するようになっている。
【００６８】
次に、このような貨幣釣銭機２００における制御系の構成について図１１を用いて説明する。図１１に示すように、硬貨処理ユニット２５０は、上位制御部２０２および硬貨制御部２５０ａを有しており、これらの上位制御部２０２および硬貨制御部２５０ａは互いに接続されている。また、紙幣処理ユニット２１０は紙幣制御部２１０ａを有しており、この紙幣制御部２１０ａは硬貨処理ユニット２５０の上位制御部２０２に接続されている。また、包装硬貨収納ユニット２８０は包装硬貨制御部２８０ａを有しており、この包装硬貨制御部２８０ａは硬貨処理ユニット２５０の上位制御部２０２に接続されている。また、ＰＯＳレジスタ２９０に設けられたＰＯＳ制御部２９１も硬貨処理ユニット２５０の上位制御部２０２に接続されている。また、図示していないが、ＰＯＳレジスタ２９０のＰＯＳ制御部２９１は店舗サーバ等の上位端末と通信可能に接続されている。
【００６９】
図１１に示すように、硬貨処理ユニット２５０の上位制御部２０２には、紙幣処理ユニット２１０、包装硬貨収納ユニット２８０およびＰＯＳレジスタ２９０の各々と通信を行うための通信部２０３、操作表示部２０４および記憶部２０８がそれぞれ接続されている。この上位制御部２０２は、通信部２０３により、紙幣処理ユニット２１０の紙幣制御部２１０ａ、包装硬貨収納ユニット２８０の包装硬貨制御部２８０ａおよびＰＯＳレジスタ２９０のＰＯＳ制御部２９１に対して信号の送受信を行うようになっている。また、操作表示部２０４は硬貨処理ユニット２５０の筐体２５１の上面に設けられたタッチパネル等からなり、操作者が操作するための操作画面や、紙幣処理ユニット２１０、硬貨処理ユニット２５０および包装硬貨収納ユニット２８０の各々に収納されている貨幣の在高に係る情報が操作表示部２０４に表示されるようになっている。このような操作表示部２０４において操作者は操作画面における操作ボタンに指を触れることによって上位制御部２０２に様々な指令を入力することができるようになっている。記憶部２０８には、紙幣処理ユニット２１０、硬貨処理ユニット２５０および包装硬貨収納ユニット２８０の各々に収納されている貨幣の在高に係る情報や、貨幣釣銭機２００における貨幣の処理履歴等の様々な情報が記憶されるようになっている。
【００７０】
また、紙幣処理ユニット２１０の紙幣制御部２１０ａには、通信部２４０、紙幣繰出機構２２１、搬送部２３０、識別部２３２、紙幣繰出機構２３５、２３７、２３９、カセット装着部２２６、書込部２２８、読取部２２９等が接続されており、識別部２３２による紙幣の識別情報や、紙幣収納カセット３００に設けられた記録媒体３０４から読取部２２９により読み取られた情報が紙幣制御部２１０ａに送られるとともに、紙幣制御部２１０ａは紙幣処理ユニット２１０の各構成部材に指令信号を送ることによりこれらの構成部材の制御を行うようになっている。また、紙幣制御部２１０ａは、通信部２４０により、硬貨処理ユニット２５０の上位制御部２０２に対して信号の送受信を行うようになっている。
【００７１】
また、硬貨処理ユニット２５０の硬貨制御部２５０ａには、硬貨繰出機構２５３、入金搬送部２５４、識別部２５６、分岐部２５８、各収納繰出部２６０および出金搬送部２６２等が接続されており、識別部２５６による硬貨の識別情報が硬貨制御部２５０ａに送られるとともに、硬貨制御部２５０ａは硬貨処理ユニット２５０の各構成部材に指令信号を送ることによりこれらの構成部材の制御を行うようになっている。
【００７２】
また、包装硬貨収納ユニット２８０の包装硬貨制御部２８０ａには、通信部２８９、検知手段２８４、ロック機構２８６および記憶部２８８等が接続されており、検知手段２８４による包装硬貨の検知情報が包装硬貨制御部２８０ａに送られるとともに、包装硬貨制御部２８０ａはロック機構２８６に指令信号を送ることにより当該ロック機構２８６の制御を行うようになっている。また、包装硬貨制御部２８０ａは、通信部２８９により、硬貨処理ユニット２５０の上位制御部２０２に対して信号の送受信を行うようになっている。また、包装硬貨収納ユニット２８０の収納ドロア２８２に収納されている包装硬貨の在高の情報等が記憶部２８８に記憶されるようになっている。
【００７３】
また、ＰＯＳレジスタ２９０のＰＯＳ制御部２９１には、カードリーダ２９６、印字部２９７、表示部２９３、操作部２９４、記憶部２９５、通信部２９２等がそれぞれ通信可能に接続されており、操作者により操作部２９４に入力された指令が当該操作部２９４からＰＯＳ制御部２９１に送られたり、カードリーダ２９６により読み取られた店員等の操作者のＩＤカードに係る情報がＰＯＳ制御部２９１に送られたりするようになっている。また、ＰＯＳ制御部２９１は表示部２９３に指令を送ることにより当該表示部２９３に様々な情報を表示させるようになっている。なお、ＰＯＳ制御部２９１は、表示部２９３に様々な情報を表示させる代わりに、あるいは表示部２９３における表示に加えて、追加の表示部２９３ａにおいて表示を行わせるようになっていてもよい。また、ＰＯＳ制御部２９１は印字部２９７に指令を送ることにより当該印字部２９７により様々な情報をレシート等に印字させるようになっている。また、ＰＯＳレジスタ２９０のＰＯＳ制御部２９１は、通信部２９２により、硬貨処理ユニット２５０の上位制御部２０２や店舗サーバ等の上位端末（図示せず）に対して信号の送受信を行うようになっている。また、記憶部２９５には、紙幣処理ユニット２１０や硬貨処理ユニット２５０等から送信された、紙幣処理ユニット２１０や硬貨処理ユニット２５０における硬貨や紙幣の処理状況や、紙幣処理ユニット２１０や硬貨処理ユニット２５０、包装硬貨収納ユニット２８０の内部に収納されている硬貨や紙幣、包装硬貨の在高等の様々な情報が記憶されるようになっている。
【００７４】
次に、貨幣入出金機１００と貨幣釣銭機２００との間で紙幣の受け渡しを行うための紙幣収納カセット３００の構成について図１２および図１３を用いて説明する。図１２および図１３に示すように、紙幣収納カセット３００は略直方体形状のケーシング３０１を有しており、当該ケーシング３０１の内部に紙幣が積層状態で収納されるようになっている。また、上述したように、紙幣収納カセット３００は貨幣入出金機１００のカセット装着部１２６および貨幣釣銭機２００のカセット装着部２２６にそれぞれ着脱自在に装着されるようになっている。また、紙幣収納カセット３００のケーシング３０１の側面には開口３０２が形成されており、紙幣収納カセット３００が貨幣入出金機１００のカセット装着部１２６や貨幣釣銭機２００のカセット装着部２２６に装着されているときに、貨幣入出金機１００の紙幣処理ユニット１１０に設けられた搬送部１３０や貨幣釣銭機２００の紙幣処理ユニット２１０に設けられた搬送部２３０から当該開口３０２を介して紙幣が紙幣収納カセット３００の内部に送られたり、紙幣収納カセット３００に収納されている紙幣が開口３０２を介して貨幣入出金機１００の紙幣処理ユニット１１０の搬送部１３０や貨幣釣銭機２００の紙幣処理ユニット２１０の搬送部２３０に繰り出されたりするようになっている。
【００７５】
より詳細には、紙幣収納カセット３００には図示しない扉が設けられており、この扉を開けるとケーシング３０１の内部にアクセスすることができるようになっているが、当該扉は図示しないロック機構によりロックされるようになっており、所定の権限を有する操作者（例えば、店舗４２０の管理者等）しかこのロック機構によるロックを解除して扉を開くことができないようになっている。また、図１３に示すように、紙幣収納カセット３００の内部には、当該紙幣収納カセット３００に収納されている紙幣を開口３０２からケーシング３０１の外部に繰り出す循環ベルト等の紙幣繰出機構３０６が設けられている。また、紙幣収納カセット３００が貨幣入出金機１００のカセット装着部１２６や貨幣釣銭機２００のカセット装着部２２６に装着されているときに、貨幣入出金機１００の紙幣処理ユニット１１０側や貨幣釣銭機２００の紙幣処理ユニット２１０側から紙幣収納カセット３００の紙幣繰出機構３０６に動力が伝達されるようになっている。このように、紙幣収納カセット３００が貨幣入出金機１００のカセット装着部１２６や貨幣釣銭機２００のカセット装着部２２６から取り出された状態では当該紙幣収納カセット３００に収納されている紙幣をケーシング３０１の外部に繰り出させることができないため、紙幣収納カセット３００に収納されている紙幣のセキュリティ性を向上させることができる。
【００７６】
また、紙幣収納カセット３００の内部には、紙幣が積層状態で載置されるステージ３０８および当該ステージ３０８を昇降させるためのパンタグラフ３０９が設けられている。ここで、紙幣収納カセット３００に紙幣が収納される際に、パンタグラフ３０９によりステージ３０８が徐々に下降し、このことにより紙幣収納カセット３００の内部において紙幣の収納スペースが形成されるようになっている。一方、紙幣収納カセット３００から紙幣を繰り出す際には、パンタグラフ３０９によりステージ３０８が徐々に上昇し、このことによりステージ３０８に積層状態で載置される複数の紙幣のうち最上層の紙幣が紙幣繰出機構３０６に常に接触するようになっている。
【００７７】
また、図１２に示すように、紙幣収納カセット３００のケーシング３０１の側面にはＩＣチップ等の記録媒体３０４が設けられている。そして、紙幣収納カセット３００が貨幣入出金機１００のカセット装着部１２６や貨幣釣銭機２００のカセット装着部２２６に装着されているときに、貨幣入出金機１００のカセット装着部１２６に設けられた書込部１２８や貨幣釣銭機２００のカセット装着部２２６に設けられた書込部２２８により記録媒体３０４に様々な情報を書き込んだり、貨幣入出金機１００のカセット装着部１２６に設けられた読取部１２９や貨幣釣銭機２００のカセット装着部２２６に設けられた読取部２２９により記録媒体３０４から様々な情報を読み取ったりすることができるようになっている。なお、書込部２２８により記録媒体３０４に書き込まれたり、読取部２２９により記録媒体３０４から読み取られたりする様々な情報としては、紙幣収納カセット３００に収納されている紙幣の金種毎の枚数や金種毎の金額の情報、貨幣釣銭機２００の識別情報（具体的には、レジ番号）、貨幣釣銭機２００の在高情報（具体的には、貨幣釣銭機２００に収納されている紙幣、硬貨および包装硬貨の金種毎の枚数または金種毎の金額）、貨幣釣銭機２００から回収するために出金された、紙幣収納カセット３００に収納されていない貨幣（硬貨、包装硬貨、紙幣処理ユニット２１０の紙幣取出口２２２ａ等から筐体２１２の外部に払い出された紙幣）の金種毎の枚数や金種毎の金額等が挙げられる。また、本実施の形態では、貨幣釣銭機２００の状態に関する情報（具体的には、貨幣釣銭機２００の紙幣処理ユニット２１０において紙幣の詰まり等の異常（言い換えると、エラー）が発生しているか否か等の情報）が記憶されるようになっている。
【００７８】
また、紙幣収納カセット３００には、当該紙幣収納カセット３００の構成部材（具体的には、紙幣収納カセット３００の扉（図示せず）や紙幣繰出機構３０６、パンタグラフ３０９等）が動作されたときにこのことを検知する検知部３１０が設けられている。検知部３１０による検知情報は記録媒体３０４に記録されるようになっている。
【００７９】
次に、このような構成からなる貨幣管理システム１における動作について説明する。本実施の形態の貨幣管理システム１において、店舗４２０の営業時間後にこの店舗４２０における売上金としての貨幣を貨幣釣銭機２００から出金（回収）して貨幣入出金機１００に収納させる際に、貨幣釣銭機２００における紙幣処理ユニット２１０に収納されている紙幣については紙幣収納カセット３００に収納させることにより紙幣収納カセット３００ごと紙幣を貨幣釣銭機２００から貨幣入出金機１００に運搬し、貨幣入出金機１００に運搬された紙幣収納カセット３００を紙幣処理ユニット１１０におけるカセット装着部１２６に装着させることにより当該紙幣収納カセット３００に収納されている紙幣を紙幣処理ユニット１１０に収納させるようにする。一方、貨幣釣銭機２００における硬貨処理ユニット２５０に収納されている硬貨については、この硬貨処理ユニット２５０から硬貨を出金させ、出金された硬貨を操作者が例えば収納ケース等に手で収納して当該収納ケースごと貨幣釣銭機２００から貨幣入出金機１００に運搬した後、この収納ケースから硬貨を取り出して貨幣入出金機１００の硬貨処理ユニット１５０に入金するようになる。なお、本実施の形態では、複数の貨幣釣銭機２００で１つの紙幣収納カセット３００が共用されるようになっていてもよい。
【００８０】
また、釣銭補充金としての貨幣を貨幣入出金機１００から出金して貨幣釣銭機２００に装填する際に、貨幣入出金機１００における紙幣処理ユニット１１０に収納されている紙幣については紙幣収納カセット３００に収納させることにより紙幣収納カセット３００ごと紙幣を貨幣入出金機１００から貨幣釣銭機２００に運搬し、貨幣釣銭機２００に運搬された紙幣収納カセット３００を紙幣処理ユニット２１０におけるカセット装着部２２６に装着させることにより当該紙幣収納カセット３００に収納されている紙幣を紙幣処理ユニット２１０の筐体２１２の内部に収納させるようにする。一方、貨幣入出金機１００における硬貨処理ユニット１５０や包装硬貨収納ユニット１８０に収納されている硬貨や包装硬貨については、これらの硬貨処理ユニット１５０や包装硬貨収納ユニット１８０から硬貨や包装硬貨を出金させ、出金された硬貨や包装硬貨を操作者が例えば収納ケース等に手で収納して当該収納ケースごと貨幣入出金機１００から貨幣釣銭機２００に運搬した後、この収納ケースから硬貨や包装硬貨を取り出して貨幣釣銭機２００の硬貨処理ユニット２５０や包装硬貨収納ユニット２８０に装填するようになる。
【００８１】
ここで、店舗４２０の営業時間後にこの店舗４２０における売上金としての貨幣を貨幣釣銭機２００から出金（回収）して貨幣入出金機１００に収納させる際の動作の詳細について図１４に示すフローチャートを用いて説明する。店舗４２０における売上金としての貨幣のうち紙幣を貨幣釣銭機２００の紙幣処理ユニット２１０から回収して貨幣入出金機１００の紙幣処理ユニット１１０に収納させるにあたり、まず、店員等の操作者は貨幣釣銭機２００の紙幣処理ユニット２１０に設けられたカセット装着部２２６に空状態の紙幣収納カセット３００を装着させる（ＳＴＥＰ１）。そして、店舗４２０における売上金としての紙幣を紙幣収納カセット３００に収納させる（ＳＴＥＰ２）。具体的には、紙幣収納部２３４、２３６、２３８に収納されている紙幣のうち、釣銭としてこれらの紙幣収納部２３４、２３６、２３８に残す紙幣（すなわち、釣銭準備金として残す紙幣）以外の紙幣を紙幣収納部２３４、２３６、２３８から各紙幣繰出機構２３５、２３７、２３９により搬送部２３０に繰り出させて当該搬送部２３０によりカセット装着部２２６に装着されている紙幣収納カセット３００に送るようにする。また、店舗４２０における売上金としての紙幣を紙幣収納カセット３００に収納させる際に、書込部２２８は、紙幣収納カセット３００に収納された紙幣に係る情報や貨幣釣銭機２００の状態に係る情報を含む様々な情報を記録媒体３０４に書き込む（ＳＴＥＰ３）。より詳細には、書込部２２８は、紙幣収納カセット３００が貨幣釣銭機２００の紙幣処理ユニット２１０におけるカセット装着部２２６から取り外される際に記憶部２０８に記憶されている上記の情報を記録媒体３０４に書き込むようになる。また、この際に、貨幣釣銭機２００の紙幣処理ユニット２１０において紙幣の詰まり等の異常が発生している場合には紙幣処理ユニット２１０において異常が発生している旨の情報を書込部２２８は記録媒体３０４に書き込む。また、貨幣釣銭機２００から回収される貨幣のうち紙幣収納カセット３００に収納される紙幣以外の貨幣（例えば、硬貨処理ユニット２５０から回収された硬貨や包装硬貨収納ユニット２８０から回収された包装硬貨、紙幣収納カセット３００に入りきらずに紙幣取出口２２２ａにより筐体２１２の外部に払い出されたオーバーフロー紙幣、出金リジェクト紙幣等）の金種毎の枚数や本数または金種毎の金額を含む出金情報も書込部２２８により記録媒体３０４に書き込まれるようになっていてもよい。また、記憶部２０８に記憶されている貨幣釣銭機２００の識別情報（具体的には、店舗番号およびレジ番号、あるいはレジ番号）も書込部２２８により記録媒体３０４に書き込まれるようになっていてもよい。
【００８２】
そして、店舗４２０における売上金としての紙幣が紙幣収納カセット３００に収納されると、操作者はカセット装着部２２６から紙幣収納カセット３００を取り出す（ＳＴＥＰ４）。その後、当該操作者は紙幣収納カセット３００をフロント領域に配置される貨幣釣銭機２００からバックヤード領域に配置される貨幣入出金機１００に運搬し（ＳＴＥＰ５）、当該貨幣入出金機１００の紙幣処理ユニット１１０におけるカセット装着部１２６に当該紙幣収納カセット３００を装着させる（ＳＴＥＰ６）。
【００８３】
貨幣入出金機１００の紙幣処理ユニット１１０におけるカセット装着部１２６に紙幣収納カセット３００が装着されると、当該カセット装着部１２６に設けられた読取部１２９によって、紙幣収納カセット３００に設けられた記録媒体３０４に記録されている情報が読み取られる（ＳＴＥＰ７）。具体的には、紙幣収納カセット３００に収納された紙幣に係る情報や貨幣釣銭機２００の状態に係る情報を含む様々な情報が読取部１２９により読み取られ、この読取部１２９により読み取られた情報は貨幣入出金機１００の制御部１０２に送られるようになる。また、状態検知部１０７は、読取部１２９により記録媒体３０４から読み取られた情報に基づいて、紙幣収納カセット３００が装着される他の装置（具体的には、貨幣釣銭機２００）の状態や紙幣収納カセット３００自体の状態を検知するようになっている（ＳＴＥＰ８）。
【００８４】
また、貨幣入出金機１００の紙幣処理ユニット１１０におけるカセット装着部１２６に紙幣収納カセット３００が装着されると、当該紙幣収納カセット３００から紙幣が紙幣処理ユニット１１０の搬送部１３０に繰り出され、この繰り出された紙幣は搬送部１３０により紙幣収納部１３４、１３６や回収カセット１４０に送られてこれらの紙幣収納部１３４、１３６や回収カセット１４０に収納されるようになる。このようにして、貨幣釣銭機２００から回収された、店舗４２０における売上金としての貨幣における紙幣が貨幣入出金機１００に収納されるようになる。ここで、本実施の形態では、状態検知部１０７により検知された状態に基づいて、紙幣収納カセット３００から紙幣処理ユニット１１０の搬送部１３０に繰り出された紙幣について識別部１３２により計数を行うか否かが判定手段１０８により判定されるようになっている。
【００８５】
具体的には、貨幣釣銭機２００から貨幣を回収するために紙幣処理ユニット２１０のカセット装着部２２６に紙幣収納カセット３００を装着させて当該紙幣収納カセット３００に紙幣を収納させる際に（ＳＴＥＰ１およびＳＴＥＰ２）、紙幣処理ユニット２１０において紙幣の詰まり等の異常が発生していた場合には、紙幣処理ユニット２１０の書込部２２８により貨幣釣銭機２００において異常が発生している旨の情報が記録媒体３０４に書き込まれるが、この場合には、状態検知部１０７は、読取部１２９により記録媒体３０４から読み取られた情報に基づいて、貨幣釣銭機２００において異常が発生していることを検知する。そして、貨幣釣銭機２００において異常が発生していることが状態検知部１０７により検知されると、紙幣収納カセット３００から紙幣処理ユニット１１０の搬送部１３０に繰り出された紙幣について識別部１３２により計数を行うと判定手段１０８により判定される（ＳＴＥＰ９の「ＹＥＳ」）。この場合には、紙幣収納カセット３００から紙幣処理ユニット１１０の搬送部１３０に繰り出された紙幣は識別部１３２により計数された後に各紙幣収納部１３４、１３６や回収カセット１４０に収納されるようになる（ＳＴＥＰ１０）。貨幣釣銭機２００の紙幣処理ユニット２１０において紙幣の詰まり等の異常が発生していた場合には、記録媒体３０４に記録されている、紙幣収納カセット３００に収納された紙幣に係る情報が正確ではない可能性があるため、紙幣収納カセット３００から紙幣処理ユニット１１０の搬送部１３０に繰り出された紙幣について識別部１３２により計数を行うことにより、貨幣入出金機１００において違算が発生することを確実に防止することができるからである。ここで、識別部１３２による紙幣の計数結果に基づく、各紙幣収納部１３４、１３６や回収カセット１４０に収納された紙幣の情報（例えば、紙幣の金種毎の枚数や金種毎の金額）と、読取部１２９により記録媒体３０４から読み取られた、貨幣釣銭機２００において紙幣収納カセット３００に収納された紙幣の情報とが異なる場合には、紙幣処理ユニット１１０において違算が発生した旨の警告メッセージが貨幣入出金機１００の操作表示部１０４に表示されるようになる。
【００８６】
一方、貨幣釣銭機２００から貨幣を回収するために紙幣処理ユニット２１０のカセット装着部２２６に紙幣収納カセット３００を装着させて当該紙幣収納カセット３００に紙幣を収納させる際に（ＳＴＥＰ１およびＳＴＥＰ２）、紙幣処理ユニット２１０において紙幣の詰まり等の異常が発生しておらず、紙幣処理ユニット２１０の書込部２２８により貨幣釣銭機２００において異常が発生している旨の情報が記録媒体３０４に書き込まれなかった場合には、状態検知部１０７は、読取部１２９により記録媒体３０４から読み取られた情報に基づいて、貨幣釣銭機２００において異常が発生していないことを検知する。そして、貨幣釣銭機２００において異常が発生していないことが状態検知部１０７により検知されると、紙幣収納カセット３００から紙幣処理ユニット１１０の搬送部１３０に繰り出された紙幣について識別部１３２により計数を行わないと判定手段１０８により判定される（ＳＴＥＰ９の「ＮＯ」）。この場合には、紙幣収納カセット３００から紙幣処理ユニット１１０の搬送部１３０に繰り出された紙幣は識別部１３２により計数されずに各紙幣収納部１３４、１３６や回収カセット１４０に収納されるようになる（ＳＴＥＰ１１）。貨幣入出金機１００の紙幣処理ユニット１１０におけるカセット装着部１２６に紙幣収納カセット３００が装着されると、当該カセット装着部１２６に設けられた読取部１２９によって、紙幣収納カセット３００に収納された紙幣に係る情報が読み取られるため、紙幣収納カセット３００から紙幣処理ユニット１１０の搬送部１３０に繰り出された紙幣について識別部１３２により計数を行わなくても、紙幣処理ユニット１１０に収納された紙幣の情報（具体的には、紙幣の金種毎の枚数や金種毎の金額）を貨幣入出金機１００側で管理することができるからである。また、貨幣釣銭機２００の紙幣処理ユニット２１０において紙幣の詰まり等の異常が発生していない場合には、記録媒体３０４に記録されている、紙幣収納カセット３００に収納された紙幣に係る情報が正確である蓋然性が高いため、紙幣収納カセット３００から紙幣処理ユニット１１０の搬送部１３０に繰り出された紙幣について識別部１３２により計数を行わなくても、概ね貨幣入出金機１００において違算が発生することはない。このように、識別部１３２により紙幣を計数する必要がない場合には、識別部１３２による紙幣の計数処理を省略することにより、紙幣処理ユニット１１０における紙幣の処理効率を向上させて処理時間を短縮することができる。
【００８７】
また、上述したように、紙幣収納カセット３００には、当該紙幣収納カセット３００の構成部材（具体的には、紙幣収納カセット３００の扉（図示せず）や紙幣繰出機構３０６、パンタグラフ３０９等）が動作されたときにこのことを検知する検知部３１０が設けられており、検知部３１０による検知情報は記録媒体３０４に記録されるようになっているが、貨幣入出金機１００の紙幣処理ユニット１１０におけるカセット装着部１２６に紙幣収納カセット３００が装着されたときに（ＳＴＥＰ６）、紙幣収納カセット３００の構成部材が動作されたという情報が読取部１２９により記録媒体３０４から読み取られた場合には、紙幣収納カセット３００自体において物理的な異常が発生したと状態検知部１０７により検知される。この場合には、紙幣収納カセット３００から紙幣処理ユニット１１０の搬送部１３０に繰り出された紙幣について識別部１３２により計数を行うと判定手段１０８により判定される（ＳＴＥＰ９の「ＹＥＳ」）。紙幣収納カセット３００の構成部材が動作されたことが検知部３１０により検知された場合には、悪意ある第三者等によって紙幣収納カセット３００から紙幣が不正に抜き取られようとした可能性があり、紙幣収納カセット３００からもし紙幣が不正に抜き取られてしまったときには、読取部１２９により記録媒体３０４から読み取られた、紙幣収納カセット３００に収納された紙幣に係る情報が正確ではなくなってしまう。このため、紙幣収納カセット３００の構成部材が動作されたことが状態検知部１０７により検知された場合には、紙幣収納カセット３００から紙幣処理ユニット１１０の搬送部１３０に繰り出された紙幣について識別部１３２により計数を行うことにより、貨幣入出金機１００において違算が発生することを防止することができるようになる。
【００８８】
なお、上記の説明では紙幣収納カセット３００の構成部材（具体的には、紙幣収納カセット３００の扉（図示せず）や紙幣繰出機構３０６、パンタグラフ３０９等）が動作されたときにこのことを検知する検知部３１０が紙幣収納カセット３００に設けられているような例について述べたが、紙幣収納カセット３００の構成部材が動作されたときにこのことを検知する検知手段（図示せず）が紙幣収納カセット３００ではなく貨幣入出金機１００の紙幣処理ユニット１１０に設けられていてもよい。より詳細には、紙幣処理ユニット１１０のカセット装着部１２６に紙幣収納カセット３００が装着されたときに（ＳＴＥＰ６）、紙幣収納カセット３００から紙幣を不正に抜き取るためにこの紙幣収納カセット３００の構成部材が動作されたときに、当該紙幣処理ユニット１１０に設けられた検知手段によって紙幣収納カセット３００の構成部材が動作されたことが検知される。この場合にも、紙幣収納カセット３００自体において物理的な異常が発生したと状態検知部１０７により検知され、このような状態検知部１０７による検知情報に基づいて、紙幣収納カセット３００から紙幣処理ユニット１１０の搬送部１３０に繰り出された紙幣について識別部１３２により計数を行うと判定手段１０８により判定される（ＳＴＥＰ９の「ＹＥＳ」）。
【００８９】
また、貨幣釣銭機２００から貨幣を回収するために紙幣処理ユニット２１０のカセット装着部２２６に紙幣収納カセット３００を装着させて当該紙幣収納カセット３００に紙幣を収納させる際に（ＳＴＥＰ１およびＳＴＥＰ２）、紙幣収納カセット３００に収納された紙幣に係る情報が書込部２２８により記録媒体３０４に書き込まれるときに書き込み異常が発生したり紙幣収納カセット３００に収納された紙幣に係る情報が書込部２２８により記録媒体３０４に書き込まれなかったりした場合には、紙幣処理ユニット１１０のカセット装着部１２６に紙幣収納カセット３００が装着されて読取部１２９により記録媒体３０４から情報が読み取られたときに状態検知部１０７は記録媒体３０４への書き込み異常、または紙幣収納カセット３００に紙幣が収納されているにもかかわらず収納されている紙幣の情報が記録媒体３０４に記録されていないことを検知する。この場合にも、状態検知部１０７による検知情報に基づいて、紙幣収納カセット３００から紙幣処理ユニット１１０の搬送部１３０に繰り出された紙幣について識別部１３２により計数を行うと判定手段１０８により判定される（ＳＴＥＰ９の「ＹＥＳ」）。
【００９０】
また、本実施の形態では、状態検知部１０７による検知情報に基づいて、紙幣収納カセット３００から紙幣処理ユニット１１０の搬送部１３０に繰り出された紙幣について識別部１３２により計数を行わないと判定手段１０８により判定された場合でも（ＳＴＥＰ９の「ＹＥＳ」）、紙幣収納カセット３００からの紙幣の抜き取り等の不正を防止するため、ランダムで（具体的には、例えば数回に１回の割合で）、紙幣収納カセット３００から紙幣処理ユニット１１０の搬送部１３０に繰り出された紙幣について識別部１３２により計数を行うようになっていてもよい。ここで、識別部１３２による紙幣の計数結果に基づく、各紙幣収納部１３４、１３６や回収カセット１４０に収納された紙幣の情報（例えば、紙幣の金種毎の枚数や金種毎の金額）と、読取部１２９により記録媒体３０４から読み取られた、貨幣釣銭機２００において紙幣収納カセット３００に収納された紙幣の情報とが異なる場合には、紙幣処理ユニット１１０において違算が発生した旨の警告メッセージが貨幣入出金機１００の操作表示部１０４に表示されるようになる。このような運用を行うことにより、紙幣収納カセット３００から紙幣処理ユニット１１０の搬送部１３０に繰り出された紙幣についてランダムで識別部１３２により計数を行うため、紙幣収納カセット３００から紙幣を抜き取る等の不正行為の抑制効果を働かせることができるようになる。
【００９１】
以上のような構成からなる本実施の形態の貨幣入出金機１００（貨幣処理装置）やこのような貨幣入出金機１００を備えた貨幣管理システム１、およびこのような貨幣入出金機１００による貨幣処理方法によれば、紙幣収納カセット３００が装着される他の装置（具体的には、貨幣釣銭機２００）または紙幣収納カセット３００自体の状態を検知する状態検知部１０７が設けられており、判定手段１０８は、状態検知部１０７により検知された状態に基づいて、紙幣収納カセット３００から取り出された紙幣について計数部として機能する識別部１３２により計数を行うか否かを判定するようになっているため、紙幣収納カセット３００から取り出された紙幣について識別部１３２により計数を行う必要がない場合には当該識別部１３２による紙幣の計数処理を省略することができるため処理効率を向上させ処理時間を短縮することができる。
【００９２】
また、本実施の形態の貨幣入出金機１００においては、上述したように、記録媒体３０４に、紙幣収納カセット３００が装着される他の装置（具体的には、貨幣釣銭機２００）または紙幣収納カセット３００自体の状態が記録されるようになっており、状態検知部１０７は、読取部１２９により記録媒体３０４から読み取られた情報に基づいて、紙幣収納カセット３００が装着される他の装置または紙幣収納カセット３００自体の状態を検知するようになっている。この場合には、本実施の形態の貨幣入出金機１００と他の装置とをＬＡＮ等により通信可能に接続しなくても、他の装置の状態に係る情報や紙幣収納カセット３００自体の情報を貨幣入出金機１００で管理することができるようになる。
【００９３】
また、本実施の形態の貨幣入出金機１００においては、上述したように、状態検知部１０７は、他の装置（具体的には、貨幣釣銭機２００）の異常を検知するようになっている。この場合、状態検知部１０７は、他の装置の異常として貨幣（具体的には、紙幣）の詰まりが発生したことを検知するようになっている。これらの技術的事項によれば、他の装置において異常が発生していることが状態検知部１０７により検知されたときに、記録媒体３０４に記録されている、紙幣収納カセット３００に収納された紙幣に係る情報が正確ではない可能性があるため、紙幣収納カセット３００から取り出された紙幣について計数部として機能する識別部１３２により計数を行うと判定手段１０８が判定することにより、貨幣入出金機１００において違算が発生することを確実に防止することができる。
【００９４】
また、本実施の形態の貨幣入出金機１００においては、上述したように、状態検知部１０７は、紙幣収納カセット３００の構成部材が動作されたことを検知するようになっている。この場合に、紙幣収納カセット３００の構成部材が動作されたことを検知する検知部３１０が紙幣収納カセット３００に設けられており、状態検知部１０７は、検知部３１０による検知情報に基づいて紙幣収納カセット３００の構成部材が動作されたことを検知するようになっていてもよい。紙幣収納カセット３００の構成部材が動作されたことが検知部３１０により検知された場合に、悪意ある第三者等によって紙幣収納カセット３００から紙幣が不正に抜き取られようとした可能性があり、紙幣収納カセット３００からもし紙幣が不正に抜き取られてしまったときには、読取部１２９により記録媒体３０４から読み取られた、紙幣収納カセット３００に収納された紙幣に係る情報が正確ではなくなってしまう。このため、紙幣収納カセット３００の構成部材が動作されたことが状態検知部１０７により検知された場合には、紙幣収納カセット３００から紙幣処理ユニット１１０の搬送部１３０に繰り出された紙幣について識別部１３２により計数を行うことにより、貨幣入出金機１００において違算が発生することを確実に防止することができるようになる。
【００９５】
また、本実施の形態の貨幣入出金機１００においては、上述したように、状態検知部１０７は、紙幣収納カセット３００がカセット装着部１２６に装着されている場合に当該紙幣収納カセット３００の構成部材が動作されたときに当該動作を検知するようになっていてもよい。具体的には、紙幣収納カセット３００の構成部材が動作されたときにこのことを検知する検知部３１０が紙幣収納カセット３００に設けられる代わりに、紙幣収納カセット３００の構成部材が動作されたときにこのことを検知する検知手段（図示せず）が貨幣入出金機１００に設けられていてもよい。この場合にも、紙幣収納カセット３００の構成部材が動作されたことが状態検知部１０７により検知された場合に、紙幣収納カセット３００から紙幣処理ユニット１１０の搬送部１３０に繰り出された紙幣について識別部１３２により計数を行うことにより、貨幣入出金機１００において違算が発生することを確実に防止することができるようになる。
【００９６】
また、本実施の形態の貨幣入出金機１００においては、上述したように、状態検知部１０７は、記録媒体３０４への書き込み異常、または紙幣収納カセット３００に貨幣（具体的には、紙幣）が収納されているにもかかわらず収納されている貨幣の情報が記録媒体３０４に記録されていないことを検知するようになっている。
【００９７】
また、本実施の形態の貨幣入出金機１００においては、上述したように、紙幣を計数する計数部は、紙幣の識別を行う識別部１３２から構成されている。しかしながら、本実施の形態の貨幣入出金機１００はこのような態様に限定されることはない。紙幣を計数する計数部として、識別部１３２以外のものが用いられてもよい。
【００９８】
なお、本実施の形態による貨幣管理システム１や貨幣管理方法、ならびにこのような貨幣管理システム１に設けられた貨幣入出金機１００や貨幣釣銭機２００は、上述したような態様に限定されることはなく、様々な変更を加えることができる。
【００９９】
変形例に係る貨幣管理システム１において、紙幣収納カセット３００に収納された紙幣に係る情報や貨幣釣銭機２００の状態に係る情報等の様々な情報が紙幣収納カセット３００に設けられた記録媒体３０４に書き込まれる代わりに、店員等の操作者が携帯するＩＤカードにこれらの情報が書き込まれるようになっていてもよい。このような変形例に係る貨幣管理システム１では、貨幣釣銭機２００から売上金としての貨幣を回収する際に、操作者がＩＤカードをＰＯＳレジスタ２９０のカードリーダ２９６に通すことにより、紙幣収納カセット３００に収納された紙幣に係る情報や貨幣釣銭機２００の状態に係る情報等の様々な情報がＩＤカードに書き込まれるようになる。また、貨幣釣銭機２００から回収された売上金としての貨幣を貨幣入出金機１００に入金させる際に、操作者がＩＤカードを貨幣入出金機１００に設けられたカードリーダ（図示せず）に通すことにより、ＩＤカードに記録されている紙幣収納カセット３００に収納された紙幣に係る情報や貨幣釣銭機２００の状態に係る情報等の様々な情報が読み取られ、この読み取られた情報が制御部１０２に送られるようになる。そして、状態検知部１０７は、カードリーダによりＩＤカードから読み取られた情報に基づいて、貨幣釣銭機２００の状態を検知する。また、判定手段１０８は、状態検知部１０７により検知された状態に基づいて、紙幣収納カセット３００から取り出された紙幣について識別部１３２等の計数部により計数を行うか否かを判定する。このように、上述したような変形例に係る貨幣管理システム１では、紙幣収納カセット３００に設けられた記録媒体３０４を用いなくても、貨幣入出金機１００と貨幣釣銭機２００との間で様々な情報のやりとりを行うことができるようになる。
【０１００】
また、紙幣が収納される紙幣収納カセット３００は、図１２および図１３に示すような紙幣が積層状態で収納されるタイプのものに限定されることはない。紙幣が収納される紙幣収納カセットとして、紙幣がテープによりドラムに巻き取られることによって当該紙幣が収納されるテープ巻取方式のものが用いられてもよい。
【０１０１】
また、別の変形例に係る貨幣管理システム１において、紙幣の収納および収納されている紙幣の繰り出しを行う紙幣収納カセット３００が設けられる代わりに、硬貨の収納および収納されている硬貨の繰り出しを行う硬貨収納カセットが貨幣入出金機１００および貨幣釣銭機２００にそれぞれ着脱自在に装着されるようになっていてもよい。また、このような硬貨の収納を行う硬貨収納カセットに上記の記録媒体３０４と同等の構成の記録媒体を設けるようにしてもよい。この場合には、貨幣入出金機１００と貨幣釣銭機２００との間でこのような硬貨収納カセットにより硬貨の受け渡しを行うことができるようになるため、貨幣釣銭機２００から回収された売上金としての硬貨や貨幣入出金機１００から出金された貨幣釣銭機２００に釣銭補充金として補充されるべき硬貨を操作者の手に触れさせないようにすることができるためセキュリティ性を高めることができる。なお、このような貨幣管理システム１では、貨幣釣銭機２００の紙幣処理ユニット２１０から回収された売上金としての紙幣は操作者により手で貨幣入出金機１００に運搬され、この貨幣入出金機１００に収納されるようになる。
【０１０２】
このような硬貨収納カセットが用いられる別の変形例に係る貨幣管理システム１において、貨幣釣銭機２００は、硬貨収納カセットに収納された硬貨に係る情報や貨幣釣銭機２００の状態に係る情報（具体的には、貨幣釣銭機２００の硬貨処理ユニット２５０において硬貨の詰まり等の異常が発生しているか否かという情報）等の様々な情報を、硬貨収納カセットが貨幣釣銭機２００に装着されているときに当該硬貨収納カセットに設けられた記録媒体に書き込む書込部を有していてもよい。また、貨幣入出金機１００は、硬貨収納カセットが貨幣入出金機１００に装着されているときに当該硬貨収納カセットに設けられた記録媒体から情報を読み取る読取部と、読取部により読み取られた情報に基づいて貨幣釣銭機２００または硬貨収納カセット自体の状態を検知する状態検知部と、状態検知部により検知された状態に基づいて、硬貨収納カセットから取り出された硬貨について識別部１５６等の計数部により計数を行うか否かを判定する判定手段とを有していてもよい。このように、硬貨収納カセットが貨幣釣銭機２００に装着されているときに硬貨収納カセットに収納された硬貨に係る情報や貨幣釣銭機２００の状態に係る情報等の様々な情報が硬貨収納カセットに設けられた記録媒体に書き込まれるとともに、硬貨収納カセットが貨幣入出金機１００に装着されているときに当該硬貨収納カセットに設けられた記録媒体から読み取られた情報に基づいて貨幣釣銭機２００の状態が状態検知部により検知される。また、判定手段は、状態検知部により検知された状態に基づいて、硬貨収納カセットから取り出された硬貨について識別部１５６等の計数部により計数を行うか否かを判定する。このような貨幣管理システム１では、硬貨収納カセットから取り出された硬貨について識別部１５６等の計数部により計数を行う必要がない場合には当該計数部による硬貨の計数処理を省略することができるため処理効率を向上させ処理時間を短縮することができる。
【符号の説明】
【０１０３】
１        貨幣管理システム
１００    貨幣入出金機
１０１    筐体
１０２    制御部
１０４    操作表示部
１０５    通信部
１０６    記憶部
１０７    状態検知部
１０８    判定手段
１１０    紙幣処理ユニット
１２０    紙幣受入部
１２０ａ  紙幣受入口
１２１    紙幣繰出機構
１２２    紙幣払出部
１２２ａ  紙幣取出口
１２４    出金リジェクト部
１２６    カセット装着部
１２６ａ  扉
１２８    書込部
１２９    読取部
１３０    搬送部
１３０ａ  周回搬送部
１３０ｂ  接続搬送部
１３２    識別部
１３４、１３６  紙幣収納部
１３５、１３７  紙幣繰出機構
１４０    回収カセット
１４０ａ  扉
１５０    硬貨処理ユニット
１５２    硬貨受入部
１５３    硬貨繰出機構
１５４    入金搬送部
１５６    識別部
１５８    第１分岐部
１６０    収納繰出部
１６２    出金搬送部
１６４    第２分岐部
１６６    硬貨払出部
１７０    回収カセット
１７０ａ  扉
１８０    包装硬貨収納ユニット
１８０ａ〜１８０ｆ  収納領域
１８２    引出部
１８４    ロック機構
１８６    重量計
２００    貨幣釣銭機
２０２    上位制御部
２０３    通信部
２０４    操作表示部
２０８    記憶部
２１０    紙幣処理ユニット
２１０ａ  紙幣制御部
２１２    筐体
２２０    紙幣受入部
２２０ａ  紙幣受入口
２２１    紙幣繰出機構
２２２    紙幣払出部
２２２ａ  紙幣取出口
２２４    出金リジェクト部
２２６    カセット装着部
２２６ａ  扉
２２８    書込部
２２９    読取部
２３０    搬送部
２３０ａ  周回搬送部
２３０ｂ  接続搬送部
２３２    識別部
２３４、２３６、２３８  紙幣収納部
２３５、２３７、２３９  紙幣繰出機構
２４０    通信部
２５０    硬貨処理ユニット
２５０ａ  硬貨制御部
２５１    筐体
２５２    硬貨受入部
２５３    硬貨繰出機構
２５４    入金搬送部
２５６    識別部
２５８    分岐部
２６０    収納繰出部
２６２    出金搬送部
２６６    硬貨払出部
２８０    包装硬貨収納ユニット
２８０ａ  包装硬貨制御部
２８１    筐体
２８２    収納ドロア
２８４    検知手段
２８４ａ  光センサ
２８４ｂ  ロータリエンコーダ
２８６    ロック機構
２８８    記憶部
２８９    通信部
２９０    ＰＯＳレジスタ
２９１    ＰＯＳ制御部
２９２    通信部
２９３    表示部
２９３ａ  追加の表示部
２９４    操作部
２９５    記憶部
２９６    カードリーダ
２９７    印字部
３００    紙幣収納カセット
３０１    ケーシング
３０２    開口
３０４    記録媒体
３０６    紙幣繰出機構
３０８    ステージ
３０９    パンタグラフ
３１０    検知部
４００    ターミナル
４０２    ユーザーサーバー
４１０    警送会社
４２０    店舗
４２２    金庫
【図１】
2017168009.tif 000003
【図２】
2017168009.tif 000004
【図３】
2017168009.tif 000005
【図４】
2017168009.tif 000006
【図５】
2017168009.tif 000007
【図６】
2017168009.tif 000008
【図７】
2017168009.tif 000009
【図８】
2017168009.tif 000010
【図９】
2017168009.tif 000011
【図１０】
2017168009.tif 000012
【図１１】
2017168009.tif 000013
【図１２】
2017168009.tif 000014
【図１３】
2017168009.tif 000015
【図１４】
2017168009.tif 000016